(57)【要約】      （修正有）【課題】耐久性に優れた過剰な引っ張りや急激な変動での魚の逃げ回りでも仕掛けに支障をきたす事のない釣り用クッションゴムを提供する。【解決手段】釣り用クッションゴムにおいて、ゴム系芯材１を核にして周りを繊維２を編んで成るゴム紐３の両端子には縒り戻し具Ａを結合して成るが、縒り戻し具Ａは、側面に小穴４のある段付き筒状の軸体５に、ゴム紐３の端子が小穴を通して直結され、側面に穴６付きでなる筒状の軸受け７の中空内で回動自在に係合し、軸受け７の他方側面の開口部には接続リングＢを具備した蓋体８が固く差し込まれて封印構成でなる縒り戻し具Ａを装備した釣り用ゴム紐クッション構成にする。また、軸受け７に設けた片側面の内側壁面７ａと該内側壁面に接合して回動する軸体の接合面５ａの隙間周りに数個の軸受け用のボール９を配置してなるボールベアリング構成での縒り戻し具Ａを装備した釣り用ゴム紐クッション構成にする。【選択図】図１
2013059311.tif 000002
【特許請求の範囲】
【請求項１】
釣り用クッションゴムにおいて、ゴム系芯材（１）を核にして周りを繊維（２）を編んで成るゴム紐（３）の両端子には縒り戻し具（Ａ）を結合して成るが、当該縒り戻し具は、側面に小穴（４）のある段付き筒状の軸体（５）に、前記ゴム紐の端子が小穴を通して直結され、側面に穴（６）付きでなる筒状の軸受け（７）の中空内で回動自在に係合し、該軸受けの他方側面の開口部には接続リング（Ｂ）を具備した蓋体（８）が固く差し込まれて封印構成でなる、縒り戻し具を装備したことを特徴とする、釣り用ゴム紐クッション。
【請求項２】
前記する軸受け（７）に設けた片側面の内側壁面（７ａ）と該内側壁面に接合して回動する軸体の接合面（５ａ）の隙間周りに数個の軸受け用のボール（９）を配置してなる、ボールベアリング構成での縒り戻し具（ＡＡＡ）にしたことを特徴する、請求項１記載の釣り用ゴム紐クッション。
【請求項３】
前記ゴム系芯材（１）を核にして周りを繊維（２）で編んだ其の外周に沿うって軟質で伸縮自在の軟質系薄膜（１００）で覆ったゴム紐（３０）にしたことを特徴とする請求項１又は２項記載の釣り用ゴム紐クッション。
【発明の詳細な説明】
【技術分野】
【０００１】  この発明は釣り場での釣竿仕掛けで、道糸側とハリス側との双方の間に介在させて装備する釣り用クッションゴムに関し、詳しくは、クッションゴムのヘタリや伸び率の変化、引っ張り強度などが繰り返し稼動しても悪化しない耐久性に優れた、釣り用クッションゴムの改良に関するものである。
【背景技術】
【０００２】  この種の従来から知られる技術での釣り用クッションゴムは、図２或いは、特許文献１に記載され開示される。
図２においては、伸縮性に優れた熱可塑性ポリウレタンエラストマー材でなる１本の線条のゴム系芯材１０の両端子に金属材でなる縒り戻し具（サルカン）ＡＡが接続される。当該縒り戻し具は、卵状の空洞でなる軸受け７０の両サイドに設けた穴６０に、線状の接続リングＢＢの先端が軸体５０として回動自在に抜けることなく装備し、ゴム系芯材の両端子のそれぞれが各々接続リングに差し込み折り返しでループ状１０ａに形成し、最先端部をゴム系芯材に高周波溶着に依って接着Ｎされる事で、ゴム系芯材の両端子にサルカンが接続されて成る、釣り用クッションゴムを構成する。これらの片方の縒り戻し具の接続リングには道糸Ｃ側が接続され、他方の縒り戻し具の接続リングにはハリスＤ側が接続されて使われる。
そしてまた、文献１での発明はゴム系芯材の自然長さの約５倍の長さに３回以上繰り返し切れる寸前まで伸ばし、自然放置する伸縮処理を施してのゴム系芯材を使っての、釣り用クッションが知られる。【０００３】
【特許文献１】特開平１１−１２７７４５号広報
【発明の開示】
【発明が解決しようとする課題】
【０００４】  しかしながら、従来技術での上記する図４或いは、特許文献１での釣り用クッションゴムは、ゴム系芯材１０と縒り戻し具ＡＡとの双方の結合は接続リングＢＢにゴム系芯材の先端部を差し込み折り曲げたループ状１０ａの最先端部のゴム系芯材を数百度の加熱にて融かしての結合とする為、加熱部のゴム系材質の組成が不均一な変化を起し、伸び率、高度、引っ張り強度を著しく特性を低下させ、魚の過激な引っ張りに依って切れがループ部に集中し、ゴム系材質の固有の特性を失ってしまう課題がある。また、釣り場での強烈な魚の切れる寸前のゴム系材質の弾性限界を超えての繰り返し付加によって、ゴム質がヘタルなどで突発的に切れ、クッションの撥ね返りで釣り場近辺に危害を誘発する等のトラブルが付きまとうことになる。
更には、前記ゴム系芯材の縒り戻し具に接続でなる接続リングの先端の軸受けの穴６０に差し込まれて抜ける事無く回動自在に装備する軸体５０や穴に発生する錆や腐食の為にキシミの為スムーズな回動に支障をきたしてしまう等のトラブルが多く発生する等の幾つかの課題を残す。
【課題を解決するための手段】
【０００５】この発明はかかる課題を解決する為に、請求項１での発明は、図１にて一部拡大図と要部断面図での全体斜視図で示すに、釣り用クッションゴムにおいて、ゴム系芯材１を核として周りを繊維２を編んで成るゴム紐３の両先端には縒り戻し具Ａを結合して成るが、当該縒り戻し具は、側面に小穴４のある段付き筒状の軸体５に、前記ゴム紐の端子が小穴を通して直結され、側面に穴６付きでなる筒状の軸受け７の中空内で回動自在に構成し、該軸受けの他方側面の開口部には接続リングＢを具備した固く差し込まれて封印構成でなる縒り戻し具を装備しての釣り用ゴム紐クッションとする。
次に、請求項２での発明は図２の要部部分断面図で述べるに、前記する軸受けに片側面の内側壁面７ａと該内側壁面に接合して回動する軸体の接合面５ａの隙間周りに数個の軸受け用のボール９を配置してなる、ボールベアリング構成での縒り戻し具ＡＡＡを装備しての釣り用ゴム紐クッションとする。
次に、請求項３での発明は図３の要部部分断面図で述べるに、前記するゴム系芯材を核にして周りを繊維で編んだ其の外周に沿うって軟質で伸縮自在の軟質系薄膜１００で覆ったゴム紐３０構成を装備しての釣り用ゴム紐クッションとする。
【発明の効果】
【０００６】  本発明は上述の通り構成作用するので次の優れた効果を奏する。
即ち、請求項１では、ゴム紐の縒り戻し具との接続は、縒り戻し具に設けた軸体にゴム紐端子の結び目を作る等での直結の為、双方の結合部での破損などのトラブルを防ぎ、更に、ゴム紐をクッション体に利用することで、ゴム系芯材は外周の繊維織りにガードされて、ゴム系芯材は弾性限界内での伸縮の繰り返しの為耐久性に優れた釣り用ゴム紐クッションを提供出来る。
次に、請求項２では、縒り戻し具にボールベアリングを装着することで、小物釣りから大物釣りまでの幅広い釣りにおいて、縒り戻し具はスムーズに回動でなる優れた釣り用ゴム紐クッションを提供出来る。次に、請求項３では、ゴム紐を構成する繊維織りでの外周を軟質系薄膜でコートすることで、繊維織りに付着する臭いや異物を防ぐ耐水性の優れた釣り用ゴム紐クッションを提供出来る。
【発明を実施するための最良の形態】
【０００７】  以下に図示の実施例に基づいて本発明を更に詳細に説明する。即ち、図１は本発明での第１実施例を示す要部断面で一部拡大図を示しての全体斜視図で、当該釣り用ゴム紐クッションは、天然ゴム等を素材にしてのゴム系芯材１を核とし、その周り繊維２を編んでなるゴム紐３をクッションとするが、核となるゴム系芯材の太さ、太さの断面形状、長さ、本数、素材の特性等の決定は多様な選択を可能にし、そのゴム系芯材の回りを織り込んで巻装する繊維の素材は、太さ、織り目、本数、引っ張り強度、曲げ強度、硬度等多様な選択を可能にしてのゴム紐とする。
そして、これらの、ゴム紐の両端子には縒り戻し具Ａを結合して成るが、当該縒り戻し具は、側面に小穴４のある段付き筒状の軸体５は、前記ゴム紐の端子が小穴を通して結び目を作る事での直結し、これらは、側面に穴６付きでなる筒状の軸受け７の中空内に係合し、ゴム紐の引きや回動で抜ける事無く軸体は装備され、軸受けの他方側面の開口部には接続リングＢを具備した蓋体８が硬く差し込まれ固着係合で封印される構成でなる縒り戻し具とする。前記するゴム紐の両先端の縒り戻し具の接続リングには片方が道糸Ｃ（道糸側）に接続され、他方の縒り戻し具の接続リングにはハリスＤ（ハリス側）に接続されて、釣竿の仕掛けとされる。次に、第２実施例を示す要部断面で、前記する軸受けの側面に穴付き側面の内側壁面７ａと該内側壁面に接合し合って回動する軸体の接合面５ａとの隙間周りに沿うって、数個の軸受け用のボール９を配置してなるボールベアリング機構での縒り戻し具ＡＡＡに構成しての、ゴム紐と軸体が一体になって軸受けの中空内でスムーズに回動を自在にしての構成で、道糸側とハリス側との間での釣り用ゴム紐クッションは、ハリスに負荷する魚の急激で過剰で変則的な逃げ回りに反応しハリス側の接続リングに一体でなる軸受け単体の空転或いは、ゴム紐が付き回りで道糸側の軸体と一体で軸受け内で回動するなどで道糸側の仕掛けの捩れや絡みや縺れを防止することで、優れた釣り用ゴム紐クッションを提供を具現化している。次に、第３実施例を示す要部断面で、前記ゴム系芯材を核として周りを繊維で編んだ其の外周に沿うって軟質で伸縮自在の軟質系薄膜１００をコートでの釣り用ゴム紐クッションとする。
【図面の簡単な説明】
【０００６】
【図１】本発明に係わる第１実施例での要部断面と一部断面拡大での全体斜視図である。
【図２】本発明に係わる第２実施例での要部断面図である。
【図３】本発明に係わる第３実施例での要部断面図である。
【図４】従来技術での全体を示す斜視図である。
【符号の説明】    Ａ、ＡＡ、ＡＡＡ    縒り戻し具
Ｂ、ＢＢ            接続リング
Ｃ                  道糸
Ｄ                  ハリス
１、１０            ゴム系芯材
１０ａ                ループ状
２                  繊維
３、３０            ゴム紐
４                  小穴
５、５０            軸体
５ａ                接合面
６、６０            穴
７、７０            軸受け
７ａ                内側壁面
８                  蓋体
９                  ボール
１００                  軟質系薄膜
【図１】
2013059311.tif 000003
【図２】
2013059311.tif 000004
【図３】
2013059311.tif 000005
【図４】
2013059311.tif 000006